(57)【要約】【課題】開口部を開閉するシャッターカーテンを備えた手動式のシャッター装置において、シャッターカーテンに通風採光機能を持たせたものでありながら、操作性がよく、しかも、低コストに構成する。【解決手段】シャッターカーテン１の下端部に位置する座板ユニット７を、上下方向に伸長する伸長姿勢と縮小する縮小姿勢とに変姿自在に構成する一方、座板ユニット７に連結される複数のスラットのうち上部に位置するスラットを、通風および／または採光可能な通風採光型スラット６とし、シャッターカーテン１が開口部を閉鎖する全閉姿勢において、座板ユニット７を縮小姿勢にすることにより、開口部の上方に通風採光型スラット６が巻出されるように構成する。【選択図】図１
2010053507.tif 000002
【特許請求の範囲】
【請求項１】
開口部上方に設けた巻取りドラムにシャッターカーテンを巻装し、巻取りドラムの正逆回転に伴いシャッターカーテンが開口部を開閉してなる建築用シャッター装置において、前記シャッターカーテンを、下端部に位置する座板と、上下方向に連結する複数のスラットとにより構成するにあたり、前記座板を上下方向に伸長する伸長姿勢と縮小する縮小姿勢とに変姿自在に構成する一方、複数のスラットのうち上部に位置するスラットを、通風および／または採光可能な通風採光型スラットとし、シャッターカーテンが開口部を閉鎖する全閉姿勢において、座板を縮小姿勢にすることにより、開口部の上方に通風採光型スラットが巻出されるように構成した建築用シャッター装置。
【請求項２】
座板には、縮小姿勢を保持する保持手段が設けられている請求項１に記載の建築用シャッター装置。
【請求項３】
座板は、入れ子状に形成された第一、第二、第三分割体を上下方向抜止め状に連結した座板ユニットに構成されており、最下端に位置する第三分割体に、シャッターカーテンを躯体に施錠する施錠装置が設けられている請求項１または２に記載の建築用シャッター装置。
【請求項４】
通風採光型スラットは、スラット面に複数の貫通孔が開設されている請求項１乃至３の何れか１項に記載の建築用シャッター装置。
【発明の詳細な説明】
【技術分野】
【０００１】
本発明は、建築物の開口部に設けられるシャッター装置であって、特に、住宅のサッシ窓の外部に設けられる建築用シャッター装置の技術分野に属するものである。
【背景技術】
【０００２】
一般に、この種建築用シャッター装置のなかには、住宅のサッシ窓の外部に設けられる窓シャッターがあるが、このものでは、天候や季節によりシャッターカーテンに通風および／または採光の機能が求められることがある。そこで、従来では、通風採光型のシャッター装置として、シャッターカーテンを構成する複数のスラットを、隣接するスラット同士を間に空間が形成される状態で連結する一方、シャッターカーテンが巻装される巻取りドラムを電動開閉機により回転駆動制御する構成とし、巻取りドラムの回転制御に基づいて、シャッターカーテンの最下端に位置する座板が床面に当接する状態において、スラット同士が離間して通風採光ができる状態と、スラット同士が当接して開口部を閉鎖する状態とに制御できるようにしたものが提唱されている。しかるに、このようにしたものは、スラット同士の連結構成が複雑になるうえ、電動開閉機を用いることから、コスト高となるという問題があった。
【０００３】
この改善策として、シャッターカーテンの下端部を構成するスラット同士を間に空間が形成される状態で連結し、電動開閉機を用いることなく通風採光状態と通常の閉鎖状態とに変姿させることができるようにしたものが提唱されている。
【特許文献１】特開平８−１３５３４１号公報
【発明の開示】
【発明が解決しようとする課題】
【０００４】
ところが、前記従来のものは、通風採光状態とするために、シャッターカーテンを停止させる停止機構（施錠具）を開口部の二箇所に設ける構成とし、一方の停止機構においてシャッターカーテンを停止させた場合では通風採光状態となり、他方の停止機構においてシャッターカーテンを停止させた場合では通常の閉鎖状態となるようにしている。このため、シャッターカーテンを開放状態から通常の閉鎖状態にする場合、あるいは、通常の閉鎖状態から開放状態にする場合では、前記二ヶ所の停止機構において該停止機構を乗り越えるための操作をしなければならず、通風採光状態を必要としない場合では開閉操作が円滑でなく、操作性に劣るという問題がある。さらには、シャッターカーテンの下方のスラットを、間に空間が形成される状態で連結する構成とするため、スラット同士の連結構成が複雑になり、充分なコスト低下を図ることができないという問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、開口部上方に設けた巻取りドラムにシャッターカーテンを巻装し、巻取りドラムの正逆回転に伴いシャッターカーテンが開口部を開閉してなる建築用シャッター装置において、前記シャッターカーテンを、下端部に位置する座板と、上下方向に連結する複数のスラットとにより構成するにあたり、前記座板を上下方向に伸長する伸長姿勢と縮小する縮小姿勢とに変姿自在に構成する一方、複数のスラットのうち上部に位置するスラットを、通風および／または採光可能な通風採光型スラットとし、シャッターカーテンが開口部を閉鎖する全閉姿勢において、座板を縮小姿勢にすることにより、開口部の上方に通風採光型スラットが巻出されるように構成した建築用シャッター装置である。
請求項２の発明は、座板には、縮小姿勢を保持する保持手段が設けられている請求項１に記載の建築用シャッター装置である。
請求項３の発明は、座板は、入れ子状に形成された第一、第二、第三分割体を上下方向抜止め状に連結した座板ユニットに構成されており、最下端に位置する第三分割体に、シャッターカーテンを躯体に施錠する施錠装置が設けられている請求項１または２に記載の建築用シャッター装置である。
請求項４の発明は、通風採光型スラットは、スラット面に複数の貫通孔が開設されている請求項１乃至３の何れか１項に記載の建築用シャッター装置である。
【発明の効果】
【０００６】
請求項１の発明とすることにより、通風採光ができるシャッター装置でありながら、構成が容易でコスト低下を図れるうえ、操作性のよいものにすることができる。
請求項２の発明とすることにより、シャッターカーテンの開閉作動の途中や、全開状態であっても座板を所望の姿勢に保持することができて、操作性が一層優れる。
請求項３の発明とすることにより、操作性の改善、コスト低下を図ることができる。
請求項４の発明とすることにより、通風採光とするための構成が簡略で、さらなるコスト低下を図ることができる。
【発明を実施するための最良の形態】
【０００７】
つぎに、本発明の実施の形態について、図面に基づいて説明する。
図面において、１は住宅の窓サッシの外方に形成される開口部を開閉する手動式の窓シャッター（シャッター装置）を構成するシャッターカーテンであって、該シャッターカーテン１は、上端部が開口部上方に設けられたシャッターケース２に内装された巻取りドラム３に連結されている一方、シャッターカーテン１の左右両端縁部は、開口部両側に設けられた左右一対のガイドレール４のガイド溝４ａにそれぞれ移動自在に挿入されている。そして、前記巻取りドラム３の正逆回転に伴い、シャッターカーテン１がガイドレール４に沿って上下動し、シャッターカーテン１が巻取りドラム３から巻出されて開口部を閉鎖する全閉姿勢と、巻取りドラム３に巻取られて開口部を開放する全開姿勢との間を変姿するように構成されている。
【０００８】
このものにおいて、前記巻取りドラム３は、シャッターケース２の左右両側板２ａに回転自在に支持されるとともに、図示しないバランス弾機が内装されている。前記バランス弾機は、シャッターカーテン１が閉鎖作動することに伴い、開口部に巻出されたシャッターカーテン１の自重に略バランスする付勢力が付勢されているが、シャッターカーテン１の全閉姿勢では、シャッターカーテン１の自重よりも上回る付勢力が付勢するように構成されている。これによって、シャッターカーテン１を把持して手動に基づいた開閉作動をする場合に、閉鎖作動はシャッターカーテン１の自重に基づいて閉鎖する一方、開放作動はバランス弾機の付勢力を受けた状態で開放するように構成されており、これによって、手動による開閉作動が軽快になされるように構成されるが、これらの構成は何れも従来通りとなっている。
【０００９】
そして、シャッターカーテン１は、スラット面５ａが開口部を目隠し状に閉鎖する通常汎用されている通常スラット５が上下方向に連結されており、その上方部位に、開口部を閉鎖した状態で通風、採光が可能となるように構成された通風採光型スラット６が連結される構成となっている。さらに、最下端に位置する通常スラット５には、上下方向伸縮自在に構成された座板ユニット７が連結されている。
【００１０】
前記通常のスラット５は、左右方向長尺状のスラット面５ａの上下縁部にインターロック部５ｂが形成されており、隣接するスラット５同士は、上側スラット５の下方のインターロック部５ｂと、下側スラット５の上方のインターロック部５ｂとを連結させることにより、互いに揺動自在（折曲自在）な状態で連結されるように構成されている。そして、前記スラット５のスラット面５ａは、湾曲状のプレート面に形成されており、前述したように、開口部を目隠し状に閉鎖するように構成されている。
【００１１】
一方、通風採光型スラット６は、本実施の形態では、前記通常スラット５の外形と同様の形状に形成されており、左右方向長尺状のスラット面６ａと、上下のインターロック部６ｂとを備えて構成されている。さらに、これら通風採光型スラット６は、スラット面６ａに複数の円形状の貫通孔６ｃが形成されたものに構成されており、通風採光型スラット６が開口部を閉鎖したとき、これら複数の貫通孔６ｃを介して通風、採光が図れるように構成されている。そして、通風採光型スラット６は、上下のインターロック部６ｂを用いることで、通風採光型スラット６同士、また、前記通常スラット５と通風採光型スラット６とを、互いに揺動自在な状態で連結させることができるように構成されている。
【００１２】
また、前記座板ユニット７は、それぞれ左右方向長尺状に形成され、入れ子状に組込まれる第一、第二、第三分割体８、９、１０を備えて構成され、座板ユニット７の上下方向の全長（長さ）が伸縮自在となるように構成されている。
前記第一分割体８は、屋内外一対の内、外側片８ａ、８ｂと、これら内、外側片８ａ、８ｂの上端縁同士を一体的に連結する上片部８ｃとを備えて形成されている。ここで、第一分割体８の内、外側片８ａ、９ａにより構成される内外方向の厚さはガイドレール４のガイド溝４ａの溝幅よりも広く（長く）設定されており、このため、内、外側片８ａ、８ｂは左右のガイドレール４の対向間に相当する長さに設定されている。これに対し、上片部８ｃは内、外側片８ａ、８ｂよりも左右方向に延出するとともに、これら延出部は、内外両端縁部が切欠かれてガイドレール４のガイド溝４ａ内に挿入するように構成され、これによって、第一分割体８がガイドレール４によるガイドを受けるように構成されている。さらに、第一分割体８の内、外側片８ａ、８ｂの各下端縁には、互いに近接する方向に突出する第一抜止め片８ｄ、８ｅがそれぞれ形成されているとともに、上片部８ｃには、最下端の通常スラット５の下方のインターロック部５ｂに揺動自在に連結するためのインターロック部８ｆが上方に向けて突出形成されている。
【００１３】
また、座板ユニット７を構成する第二分割体９は、内、外側片９ａ、９ｂと、これら内、外側片９ａ、９ｂの上端縁同士を一体的に連結する上片部９ｃとを備えて形成されている。前記第二分割体９の内外方向の厚さは、前記第一分割体８の抜止め片８ｄ、８ｅの対向間隔を上下方向に移動して第一分割体８内に出没自在となる厚さに設定されているが、該厚さはガイドレールガイド溝４ａの溝幅よりも広く設定されており、このため、内、外側片９ａ、９ｂは左右のガイドレール４の対向間に相当する長さに設定されている。これに対し、上片部９ｃは内、外側片９ａ、９ｂよりも左右方向に延出するとともに、これら延出部は、内外両端縁部が切欠かれてガイドレールガイド溝４ａに挿入するように構成され、これによって、第二分割体９がガイドレール４によるガイドを受けるように構成されている。さらに、前記延出部を除く上片部９ｃの内外両端縁部には、互いに離間する方向に突出し、前記第一抜止め片８ｄ、８ｅに抜止め係止される第二抜止め受け片９ｄ、９ｅがそれぞれ形成されているとともに、内、外側片９ａ、９ｂの各下端縁には、互いに近接する方向に突出する第二抜止め片９ｆ、９ｇがそれぞれ形成されている。そして、第二分割体９は、第一分割体８の内、外側片８ａ、８ｂの対向間を上下方向に移動することにより、第二分割体上片部９ｃが第一分割体上片部８ｃに当接し、第二分割体９が第一分割体８内に位置する縮小状態と、第二抜止め受け片９ｄ、９ｅが第一抜止め片８ｄ、８ｅに係止して第一分割体８に吊持され、第二分割体９が第一分割体８の下方に露出する伸長状態とに変位するように構成されている。
【００１４】
さらに、第三分割体１０は、第二分割体９内に嵌入可能な板厚を有し、かつ、ガイドレールガイド溝４ａに挿入する長さを有し、ガイド溝４ａによるガイドを受けるプレート状の本体部１０ａと、該本体部の上端縁部から内外方向に延出し、前記第二抜止め片９ｆ、９ｇに抜止め係止される第三抜止め受け片１０ｂ、１０ｃとを備えて構成されている。さらに、第三分割体本体部１０ａの下端縁部には、本体部１０ａから内外方向に突出する上片１０ｄと、該上片１０ｄの内外端縁部から下方に延出する内、外側片１０ｅ、１０ｆと、内、外側片１０ｅ、１０ｆの下端縁部同士を連結する下片１０ｇとを備えた四角筒状部１０ｈが、左右のガイドレール４の対向間に配される長さで一体形成されている。そして、第三分割体１０は、第二分割体９の内、外側片９ａ、９ｂの対向間を上下方向に移動することにより、第三抜止め受け片１０ｂ、１０ｃが第二分割体上片部９ｃに当接し、第三分割体本体部１０ａが第二分割体９内に位置する縮小状態と、第三抜止め受け片１０ｂ、１０ｃが第二抜止め片９ｆ、９ｇに係止して第二分割体９に吊持され、第三分割体１０が第二分割体９の下方に露出する伸長状態とに変位するように構成されている。
【００１５】
このように構成された座板ユニット７は、自然垂下状態では、図３（Ａ）に示すように、各第一、第二、第三分割体８、９、１０がそれぞれ露出し、第二、第三分割体９、１０が第一、第二分割体８、９にそれぞれ吊持されて露出する伸長状態となり、上下方向の長さである全長Ｌ１を有した伸長姿勢となるように構成されている。また、シャッターカーテン１の閉鎖作動の過程で、座板ユニット７の最下端となる第三分割体１０の下端部となる四角筒状部１０ｈが躯体に形成された枠体１１に当接した場合のように、四角筒状部１０ｈに上方に向く負荷が作用した場合では、第三分割体１０が第二分割体９内に入り込んで第二、第三分割体９、１０同士が縮小状態となり、続いて、第二分割体９が第一分割体８内に入り込んで第一、第二分割体８、９同士が縮小状態となり、図３（Ｂ）に示すように、上下方向長さである全長Ｌ２を有した縮小姿勢に変姿するように構成されている。
尚、座板ユニット７の縮小姿勢において、第一分割体８の第一抜止め片８ｄ、８ｅと第二分割体９の第二抜止め片９ｆ、９ｇとは面一状態となり、かつ、第二抜止め片９ｆ、９ｇ、内側に位置する第一抜止め片８ｄは第三分割体１０の四角筒状部１０ｈの上片１０ｄに当接するように寸法設定されている。
【００１６】
さらに、座板ユニット７は、縮小姿勢を保持するための保持手段が左右両端部に位置して設けられているが、本実施の形態の保持手段は、磁石１２と、該磁石１２に磁着する磁石受け体１２ａとで構成されている。前記磁石１２は、第一分割体８の内側片８ａの下端部であって、かつ、図４に示すように、ガイドレール４に近接する左右両端部にそれぞれ設けられる一方、磁石受け体１２ａは、第三分割体１０の四角筒状部１０ｈを構成し、第一分割体８の内側片８ａよりも内方に延出して形成された上片１０ｄの左右端部に設けられており、磁石受け体１２ａの上端面と磁石１２の下端面とが上下方向に対向する位置関係で設けられている。そして、座板ユニット７が伸長姿勢から縮小姿勢に変姿することに伴い、磁石１２と磁石受け体１２ａとが当接することにより確実な磁着がなされて、座板ユニット７を縮小姿勢に保持するように構成されている。この状態から、座板ユニット７を伸長姿勢にする場合では、磁石１２と磁石受け体１２ａとの磁着力よりも大きな負荷を作用することにより、強制的に伸長姿勢に変姿させることができるように構成されている。
【００１７】
また、第三分割体１０の下端部であり、座板ユニット７が伸長姿勢、縮小姿勢の何れの姿勢であっても座板ユニット７の最下端部を構成する四角筒状部１０ｈには、外側片１０ｆに続いて下方に延出する水切り片１０ｉが一体形成されている。さらに、四角筒状部１０ｈの内側片１０ｅには、該内側片１０ｅを溝底とし、内側が開口する蟻溝形で、左右方向長尺状のガイド孔１０ｊが形成されたガイド溝部１０ｋが形成されている。
そして、前記ガイド溝部１０ｋの左右方向中間部には、座板ユニット７（第三分割体１０、シャッターカーテン１）を躯体に固定する施錠装置としてのラッチ錠装置１３が支持されている。前記ラッチ錠装置１３は、ガイド溝部１０ｋのガイド孔１０ｊに左右方向移動自在に内装される左右一対のリンク体１３ａと、該リンク体１３ａに連動連結された操作レバー１３ｂと、前記一対のリンク体１３ａを、それぞれの左右端部が第三分割体１０の左右端縁を越えて突出する施錠姿勢となるように付勢する図示しない付勢弾機とを備えて構成されている。一方、開口部に設けられる左右のガイドレール４には、ガイド溝４ａの下端部溝奥側に位置してラッチ受け４ｂが設けられている。そして、ラッチ錠装置１３は、シャッターカーテン１を閉鎖作動する過程において、リンク体１３ａの左右両端部が各ラッチ受け４ｂに当接する状態で座板ユニット７の第三分割体１０を強制的に下動させることにより、リンク体１３ａが付勢弾機の付勢力に抗して退避する退避姿勢となってラッチ受け４ｂを乗り越え、シャッターカーテン１が全閉姿勢となることにタイミングを合わせてラッチ受け４ｂの下面に自動的に係止するように構成されており、この状態となると、シャッターカーテン１は、開放規制がなされて躯体側に施錠される施錠状態となるように構成されている。尚、ラッチ錠装置１３は、操作レバー１３ｂを上動操作することにより、リンク体１３ａを左右方向内側に退避する退避姿勢に強制的に変姿させるように構成されており、リンク体１３ａの退避姿勢では、リンク体１３ａとラッチ受け４ｂとの係止解除がなされ、シャッターカーテン１を開放可能な解錠状態とするように構成されている。
尚、リンク体１３ａは、操作レバー１３ｂの上動操作を止めることにより施錠姿勢に復帰するように構成されている。
【００１８】
このように構成されたシャッター装置において、シャッターカーテン１は、前述したように、手動操作に基づいて開閉作動するように構成されている。この場合に、シャッターカーテン１の座板ユニット７は、保持手段により縮小姿勢、または、自然垂下する伸長姿勢の何れかに保持することができるため、シャッターカーテン１の通風採光型スラット６、通常スラット５部位が巻取りドラム３に巻取られて開口部を開放する全開姿勢において、座板ユニット７は縮小姿勢、または、伸長姿勢の状態の何れかの状態とすることができる。そしてこの場合に、第一分割体８の内側片８ａの上方から内側に向けて突出形成された上動規制片８ｇが、シャッターケース２を構成する内側片２ｂの左右両端部にそれぞれ形成されたストッパ受け片２ｃに下側から当接しており、これによって、シャッターカーテン１（座板ユニット７、第一分割体８）は、これ以上の開放作動が規制されており、座板ユニット７は、縮小姿勢、伸長姿勢の何れの場合でも巻取りドラム３に巻取られることがないように構成されている。
このように構成することにより、シャッターカーテン１の全開姿勢において、座板ユニット７が縮小姿勢の場合では、図５（Ｂ）に示すように、第一、第二分割体８、９、そして、第三分割体１０の本体部１０ａとがシャッターケース２内に収納され、第三分割体１０の四角筒状部１０ｈ以下がシャッターケース２の呑込み口２ｄの下方に露出しており、四角筒状部１０ｈの左右端部に外側に向けて突出形成されたストッパ片１０ｍがシャッターケース２の呑込み口２ｄを構成する下側片２ｅに突当たる状態となるように構成されている。一方、座板ユニット７が伸長姿勢の場合では、シャッターカーテン１が全開姿勢の状態でありながら、第二、第三分割体９、１０部位が開口部の上方を閉鎖し、庇のように機能する状態となるように構成されている。
【００１９】
そして、シャッターカーテン１は、座板ユニット７の上部に通常スラット５が連結され、その上方に通風採光型スラット６が設けられているが、通常スラット５は、シャッターカーテン１が伸長姿勢の座板ユニット７で開口部を全閉姿勢としたときに、開口部に巻出される部位に設けられるように設定されており、シャッターカーテン１が縮小姿勢の座板ユニット７で開口部を全閉姿勢としたときには、通常スラット５により閉鎖された開口部の上方に通風採光型スラット６が巻出されるように構成されている。
つまり、シャッターカーテン１が巻取りドラム３から巻出されて開口部を閉鎖する全閉姿勢において、図５（Ａ）に示すように座板ユニット７が伸長姿勢の場合では、シャッターカーテン１は、通常スラット５が連結された部位が開口部に巻出されるように構成されている。一方、座板ユニット７を縮小姿勢とした場合では、シャッターカーテン１は、前記伸長姿勢の場合より、座板ユニット７が伸長姿勢における全長Ｌ１から縮小姿勢における全長Ｌ２を差し引いた長さＬ３（Ｌ３＝Ｌ１−Ｌ２）に相当する分だけ余計に開口部に巻出されるように設定されている。そして、本実施の形態では、シャッターカーテン１の通常スラット５の上方に、前記長さＬ３に相当する長さであって、本実施の形態では、最上位の通常スラット５の上方に、少なくとも四枚の通風採光型スラット６が連結されていて、シャッターカーテン１が縮小姿勢の座板ユニット７で開口部を全閉姿勢としたときに、開口部の上方に通風採光型スラット６が長さＬ３に相当する分だけ巻出されるように構成されており、該巻出された通風採光型スラット６の貫通孔６ｃを介して通風、採光がなされるように構成されている。
【００２０】
このものにおいて、シャッターカーテン１は、前述したように、巻取りドラム３のバランス弾機により開放方向の付勢力を受けている。これによって、全閉状態で、かつ、ラッチ錠装置１３が施錠状態となった場合では、座板ユニット７に、前記バランス弾機の開放方向の付勢力が作用し、座板ユニット７を伸長姿勢とする方向の負荷を受けることになるが、このものでは、縮小姿勢に保持する保持手段である磁石１２と磁石受け体１２ａとの磁着力が、前記バランス弾機に基づく座板ユニット７への負荷を上回るように設定されている。これによって、座板ユニット７は縮小姿勢となって施錠状態となった場合では、縮小姿勢に保持されるように構成されている。
【００２１】
このように構成されたシャッター装置において、全開姿勢となっているシャッターカーテン１を全閉姿勢とする場合では、座板ユニット７の下端部であり、シャッターケース２の呑み込み口２ｄから下方に露出する第三分割体１０の四角筒状部１０ｈを把持して閉鎖操作するように構成されている。このとき、座板ユニット７が縮小姿勢であれば、四角筒状部１０ｈを閉鎖操作することで伸長姿勢に変姿させながら閉鎖操作し、その後、シャッターカーテン１の上下方向中間部に設けられる図示しない手掛け部を把持してさらに閉鎖操作することで、シャッターカーテン１を全閉姿勢にまで閉鎖できるように構成されている。
そして、シャッターカーテン１を通風採光状態で全閉姿勢とする場合では、シャッターカーテン１の閉鎖作動の過程で、座板ユニット７の第三分割体１０を上動させて、磁石１２と磁石受け体１２ａとを磁着させて座板ユニット７を縮小姿勢に保持し、シャッターカーテン１が全閉姿勢に近付いた状態において、第一分割体８を強制的に下動してラッチ錠装置１３を施錠状態とすることにより、シャッターカーテン１が通風採光状態で全閉姿勢となるように構成されている。
また、シャッターカーテン１を通常の目隠し状態で全閉姿勢とする場合では、伸長姿勢の座板ユニット７が全閉姿勢に近付くまでシャッターカーテン１を閉鎖作動し、第三分割体１０が全閉姿勢に近付いた状態で、第三分割体１０を強制的に下動してラッチ錠装置１３を施錠状態とすることにより、座板ユニット７が伸長姿勢のまま施錠状態となり、シャッターカーテン１が通常の目隠し状態で全閉姿勢となるように構成されている。
【００２２】
また、通風採光状態で施錠されているシャッターカーテン１を通常の目隠し状態に変更する場合では、例えば、前記シャッターカーテン１の手掛け部を把持してシャッターカーテン１を上動し、施錠状態となっている第三分割体１０に対して第一分割体８を上動させて磁石１２と磁石受け体１２ａとの磁着を解除し、座板ユニット７を伸長姿勢とすることで、シャッターカーテン１の通風採光型スラット６部位がバランス弾機の付勢力を受けて巻取りドラム３に巻取られ、通常の目隠し状態にできるように構成されている。
これに対し、通常の目隠し状態で施錠されているシャッターカーテン１を通風採光状態に変更する場合では、例えば、手掛け部を把持してシャッターカーテン１を下動し、第一分割体８の磁石１２を第三分割体１０の磁石受け体１２ａに磁着させて座板ユニット７を縮小姿勢に保持することで、シャッターカーテン１の上部に通風採光型スラット６が巻出されて、通風採光状態にできるように構成されている。
【００２３】
このように構成されたシャッターカーテン１は、最下端において躯体に施錠する構成となっており、このようにすることにより、従来のように、通風採光状態と通常の閉鎖状態とで施錠位置（停止位置）を異ならしめるような面倒な構成が必要なく、しかも、シャッターカーテン１の施錠−解錠を伴う開閉作動を円滑、かつ、簡単に行うことができるようこに構成されている。
因みに、シャッターカーテン１を全閉状態から全開状態にする場合では、操作レバー１３ｂを上動操作することによりラッチ錠装置１３が解錠状態となり、該操作レバー１３ｂの上動操作をしながらシャッターカーテン１を上動操作することにより、シャッターカーテン１を開放操作することができるように構成されている。このとき、座板ユニット７は、磁石１２と磁石受け体１２ａとの磁着力が全閉姿勢のシャッターカーテン１に作用するバランス弾機の付勢力よりも大きく設定されているため、縮小姿勢を保持することができ、縮小姿勢、伸長姿勢の何れの姿勢であっても、該姿勢を保持した状態で開閉作動することができるように構成されている。
【００２４】
叙述の如く構成された本形態において、シャッター装置は、シャッターカーテン１の最下端の座板ユニット７を伸長姿勢と縮小姿勢とに変姿可能な構成とする一方、シャッターカーテン１の上方に通風採光型スラット６を連結し、座板ユニット７が縮小姿勢となってシャッターカーテン１が開口部を全閉姿勢とした場合に、開口部の上方に通風採光型スラット６が巻出されるように構成したので、従来のように、二箇所に停止機構を設けることなく、単に座板ユニット７の姿勢を伸長姿勢、あるいは、縮小姿勢の何れかの姿勢としてシャッターカーテン１を全閉姿勢とすれば、通常の目隠し状態と通風採光状態とを区別した状態で開口部を全閉状態とすることができる。これによって、通風採光ができるシャッター装置でありながら、構成が容易でコスト低下を図れるばかりでなく、操作性よく開口部を目隠し状態と通風採光状態とに閉め分けることができる。
【００２５】
また、このものでは、座板ユニット７を縮小姿勢に保持する保持手段として磁石１２と磁石受け体１２ａとが設けられているので、簡単な操作で座板ユニット７を縮小姿勢と伸長姿勢とに変姿させて各姿勢を保持することができるので、開閉作動の途中や、全開状態であっても座板ユニット７を所望の姿勢に保持することができて、操作性の一層の向上を図ることができる。
【００２６】
さらに、このものにおいて、座板ユニット７は入れ子状に構成された第一、第二、第三分割体８、９、１０からなり、最下端部を構成する第三分割体１０にラッチ錠装置１３を設ける構成としたので、二箇所に停止機構が設けられるもののように、二箇所において施錠装置の解錠操作をする必要がなく、通風採光機能が設けられたシャッター装置でありながら、一ヶ所において解錠操作をするだけでシャッターカーテン１を開放することができて、操作性の改善を図ることができるうえ、コスト低下を図ることができる。
【００２７】
しかも、このものでは、従来のように、スラット同士の間に空間を形成して通風採光する構成ではなく、シャッターカーテン１の上部に、通常スラット５と同形状で、単に貫通孔６ｃが開設された通風採光型スラット６を連結する構成としたので、通風採光状態とする部位の連結構成を格別変える必要がなく、通風採光とするための構成が簡略で、さらなるコスト低下を実現できる。
【００２８】
尚、本発明は前記実施の形態に限定されないことは勿論であって、通風採光型スラットとしては、図６に示す第二、第三、第四の実施の形態のようにすることができる。尚、第二、第三、第四の実施の形態の構成は、通風採光型スラット以外は前記第一の実施の形態と同様であるので、これら同様の構成については同様の符号を付すことより説明を省略する。
図６（Ａ）に示す第二の実施の形態の通風採光型スラット１４は、下方に連結される通常スラット５と同様の形状であり、左右方向長尺状のスラット面１４ａに形成される貫通孔１４ｂが左右方向に長い形状となっており、該貫通孔１４ｂを介して通風、採光を図る構成となっている。
図６（Ｂ）に示す第三の実施の形態の通風採光型スラットは、通常スラット５を左右方向に短く切断した切断体１５により構成されており、これら切断体１５を、左右方向二箇所に所定の空間１５ａを開ける状態で連結し、左右方向に隣接する切断体１５の間に形成される空間１５ａが通風、採光を図る構成となっている。
さらに、図６（Ｃ）に示す第四の実施の形態の通風採光型スラットは、左右方向長尺状のパイプ体１６により構成されており、これらパイプ体１６を、上下方向に空間を開ける状態で左右方向複数箇所において連結部材１７を用いて揺動自在に連結し、上下方向に隣接するパイプ体１６の間に形成される空間１６ａが通風、採光を図る構成となっている。
そして、何れの場合においても、座板ユニット７が縮小姿勢となると通風採光可能な部位が開口部に巻出されるように構成されており、この場合でも、通風採光機能を備えたシャッター装置でありながら、操作性がよく、しかも、コスト低下が可能なシャッター装置とすることができる。
【００２９】
さらに、通風採光型スラットの通風採光部位に、通風は規制するが採光は許容する開閉体を開閉自在に設けることも可能であり、このようにすることにより、座板を縮小姿勢とし、かつ、開閉体を閉鎖して通風を規制することで、採光のみがなされる状態とすることができる。
また、本発明を電動式のシャッター装置に実施して、電動モータの駆動制御に基づいてシャッターカーテンを開閉するように構成した場合では、座板ユニットを、伸長姿勢と縮小姿勢との間を変姿することにより漸次上下方向の長さが変化するように構成することができ、このようにすることにより、座板ユニット７の上下方向長さの変化に伴い、通風採光型スラット６の巻出し量が変化して通風採光量を調整することが可能となり、さらに使い勝手のよいシャッター装置とすることができる。
【図面の簡単な説明】
【００３０】
【図１】シャッター装置の一部を破断した概略正面図である。
【図２】シャッター装置の一部を破断した側面断面図である。
【図３】図３（Ａ）、（Ｂ）はそれぞれ座板ユニットの伸長姿勢を示す側面断面図、縮小姿勢を示す側面断面図である。
【図４】図４（Ａ）、（Ｂ）はそれぞれ座板ユニット伸長姿勢を示す背面図、縮小姿勢を示す背面図である。
【図５】図５（Ａ）は座板の伸長姿勢でのシャッターカーテンの全閉姿勢を示す側面断面図、図５（Ｂ）は座板の縮小姿勢でのシャッターカーテンの全開姿勢を示す側面断面図、図５（Ｃ）は座板の伸長姿勢でのシャッターカーテンの全開姿勢を示す側面断面図である。
【図６】図６（Ａ）、（Ｂ）、（Ｃ）はそれぞれ第二、第三、第四の実施の形態におけるシャッター装置の一部を破断した正面図である。
【符号の説明】
【００３１】
１    シャッターカーテン
３    巻取りドラム
５    通常スラット
６    通風採光型スラット
６ｃ    貫通孔
７    座板ユニット
８    第一分割体
９    第二分割体
１０    第三分割体
１０ｈ    四角筒状部
１２    磁石
１２ａ    磁石受け体
１３    ラッチ錠装置
１３ａ    リンク体
【図１】
2010053507.tif 000003
【図２】
2010053507.tif 000004
【図３】
2010053507.tif 000005
【図４】
2010053507.tif 000006
【図５】
2010053507.tif 000007
【図６】
2010053507.tif 000008